(57)【要約】【課題】装飾の対象となる画像を簡便に決定可能とする画像表示装置を提供する。【解決手段】適用対象となる画像を装飾する装飾情報の入力を受け付ける入力手段５０と、その入力手段５０により入力された装飾情報の属性情報に基づいて、前記記憶部１６に記憶された複数の画像情報からその装飾情報の適用対象となる画像に対応する画像情報を抽出する対象画像抽出手段５４と、その対象画像抽出手段５４による抽出結果を表示部としての表示装置２２に表示させる抽出結果表示手段５６とを、備えたものであることから、利用者により先ず決定される装飾の対象となる画像を、予め定められた複数の画像から好適に抽出することができる。すなわち、装飾の対象となる画像を簡便に決定可能とする画像表示装置１０を提供することができる。【選択図】図３
2011180305.tif 000002
【特許請求の範囲】
【請求項１】
画像情報に対応する画像を表示させる表示部を備えた画像表示装置であって、
適用対象となる前記画像を装飾する装飾情報の入力を受け付ける入力手段と、
該入力手段により入力された装飾情報の属性情報に基づいて、記憶部に記憶された複数の画像情報から該装飾情報の適用対象となる画像に対応する画像情報を抽出する対象画像抽出手段と、
該対象画像抽出手段による抽出結果を前記表示部に表示させる抽出結果表示手段と
を、備えたものであることを特徴とする画像表示装置。
【請求項２】
前記装飾情報の属性情報は、該装飾情報の形状に関する情報及び前記適用対象となる画像に対する該装飾情報の配置に関する情報のうち少なくとも一方を含むものであり、
前記画像における予め定められた特徴領域を検出する特徴領域検出手段を備え、
前記対象画像抽出手段は、前記装飾情報の属性情報としての形状に関する情報及び配置に関する情報のうち少なくとも一方と、前記特徴領域検出手段により検出された前記画像における特徴領域の、該画像に対する相対的な位置に関する情報とに基づいて前記抽出を実行するものである
請求項１に記載の画像表示装置。
【請求項３】
前記対象画像抽出手段は、前記適用対象となる画像に対する前記装飾情報の相対位置と、前記特徴領域検出手段により検出された特徴領域の前記画像に対する相対位置とを比較し、前記装飾情報が該特徴領域に重ならない画像を抽出するものである請求項２に記載の画像表示装置。
【請求項４】
前記装飾情報の属性情報は、該装飾情報に関するキーワード情報を含むものであり、
前記対象画像抽出手段は、前記装飾情報の属性情報としてのキーワード情報と、前記画像情報に対応付けられるキーワード情報とに基づいて前記抽出を実行するものである
請求項１から３の何れか１項に記載の画像表示装置。
【請求項５】
前記入力手段は、入力操作によって描画される軌跡情報を前記装飾情報として受け付けるものである請求項１から４の何れか１項に記載の画像表示装置。
【請求項６】
前記抽出結果表示手段は、前記対象画像抽出手段により抽出された複数の画像情報に対応する画像を前記表示部に選択可能に表示させると共に、前記入力手段を介してそれら複数の画像情報の何れかが選択された場合には、該画像情報に対応する画像に前記装飾情報を適用して前記表示部に表示させるものである請求項１から５の何れか１項に記載の画像表示装置。
【請求項７】
前記抽出結果表示手段は、前記対象画像抽出手段により抽出された単数乃至複数の画像情報に対応する画像に前記装飾情報を適用して前記表示部に表示させるものである請求項１から５の何れか１項に記載の画像表示装置。
【請求項８】
前記抽出結果表示手段は、前記対象画像抽出手段により複数の画像情報が抽出された場合には、各画像情報に対応する画像に前記装飾情報を適用して前記表示部に断続的に切替表示するものである請求項７に記載の画像表示装置。
【請求項９】
画像情報に対応する画像を表示させる表示部を備えた画像表示装置による画像表示方法であって、
適用対象となる前記画像を装飾する装飾情報の入力を受け付ける入力過程と、
該入力過程において入力された装飾情報の属性情報に基づいて、記憶部に記憶された複数の画像情報から該装飾情報の適用対象となる画像に対応する画像情報を抽出する対象画像抽出過程と、
該対象画像抽出過程における抽出結果を前記表示部に表示させる抽出結果表示過程と
を、含むことを特徴とする画像表示方法。
【請求項１０】
画像情報に対応する画像を表示させる表示部を備えた画像表示装置における制御装置を、
適用対象となる前記画像を装飾する装飾情報の入力を受け付ける入力手段、
該入力手段により入力された装飾情報の属性情報に基づいて、記憶部に記憶された複数の画像情報から該装飾情報の適用対象となる画像に対応する画像情報を抽出する対象画像抽出手段、
及び該対象画像抽出手段による抽出結果を前記表示部に表示させる抽出結果表示手段
として機能させることを特徴とする画像表示プログラム。
【発明の詳細な説明】
【技術分野】
【０００１】
本発明は、画像表示装置、画像表示方法、及び画像表示プログラムに関し、特に、装飾の対象となる画像を簡便に決定可能とする改良に関する。
【背景技術】
【０００２】
記憶装置に記憶された画像情報を随時読み出してディスプレイに表示する所謂デジタルフォトフレームが知られている。斯かるフォトフレームにおいて、表示部に表示される画像にテンプレート画像を合成することで、表示対象の画像を装飾する技術が提案されている（例えば、特許文献１を参照）。
【先行技術文献】
【特許文献】
【０００３】
【特許文献１】特開２００２−３１２８０２号公報
【発明の概要】
【発明が解決しようとする課題】
【０００４】
ところで、本発明者は、新たな画像表示装置を開発するために鋭意研究を継続する過程において、例えば年賀状において干支の画像（テンプレート画像）に合成する画像を複数の家族写真から選択する場合のように、先ず装飾に係る情報ありきで合成の対象となる画像（主画像）を予め定められた複数の画像から選ぶ形態が考えられることに着目した。前述した従来の技術では、テンプレート画像ありきでそのテンプレート画像に適用される主画像を選択し得るものではなかった。従って、特に主画像と成り得る画像が多数存在する場合、多数の主画像の中から修飾に係る情報の対象となる画像を選択するのが煩雑であるという不具合を新たに見出した。すなわち、装飾の対象となる画像を簡便に決定可能とする画像表示装置、画像表示方法、及び画像表示プログラムは、未だ開発されていないのが現状である。
【０００５】
本発明は、以上の事情を背景として為されたものであり、その目的とするところは、装飾の対象となる画像を簡便に決定可能とする画像表示装置、画像表示方法、及び画像表示プログラムを提供することにある。
【課題を解決するための手段】
【０００６】
斯かる目的を達成するために、本第１発明の要旨とするところは、画像情報に対応する画像を表示させる表示部を備えた画像表示装置であって、適用対象となる前記画像を装飾する装飾情報の入力を受け付ける入力手段と、その入力手段により入力された装飾情報の属性情報に基づいて、記憶部に記憶された複数の画像情報からその装飾情報の適用対象となる画像に対応する画像情報を抽出する対象画像抽出手段と、その対象画像抽出手段による抽出結果を前記表示部に表示させる抽出結果表示手段とを、備えたことを特徴とするものである。
【０００７】
また、前記目的を達成するために、本第２発明の要旨とするところは、画像情報に対応する画像を表示させる表示部を備えた画像表示装置による画像表示方法であって、適用対象となる前記画像を装飾する装飾情報の入力を受け付ける入力過程と、その入力過程において入力された装飾情報の属性情報に基づいて、記憶部に記憶された複数の画像情報からその装飾情報の適用対象となる画像に対応する画像情報を抽出する対象画像抽出過程と、その対象画像抽出過程における抽出結果を前記表示部に表示させる抽出結果表示過程とを、含むことを特徴とするものである。
【０００８】
また、前記目的を達成するために、本第３発明の要旨とするところは、画像情報に対応する画像を表示させる表示部を備えた画像表示装置における制御装置を、適用対象となる前記画像を装飾する装飾情報の入力を受け付ける入力手段、その入力手段により入力された装飾情報の属性情報に基づいて、記憶部に記憶された複数の画像情報からその装飾情報の適用対象となる画像に対応する画像情報を抽出する対象画像抽出手段、及びその対象画像抽出手段による抽出結果を前記表示部に表示させる抽出結果表示手段として機能させることを特徴とする画像表示プログラムである。
【発明の効果】
【０００９】
このように、前記第１発明によれば、利用者により先ず決定される装飾の対象となる画像を、予め定められた複数の画像から好適に抽出することができる。すなわち、装飾の対象となる画像を簡便に決定可能とする画像表示装置を提供することができる。
【００１０】
ここで、前記第１発明において、好適には、前記装飾情報の属性情報は、その装飾情報の形状に関する情報及び前記適用対象となる画像に対するその装飾情報の配置に関する情報のうち少なくとも一方を含むものであり、前記画像における予め定められた特徴領域を検出する特徴領域検出手段を備え、前記対象画像抽出手段は、前記装飾情報の属性情報としての形状に関する情報及び配置に関する情報のうち少なくとも一方と、前記特徴領域検出手段により検出された前記画像における特徴領域の、その画像に対する相対的な位置に関する情報とに基づいて前記抽出を実行するものである。このようにすれば、前記装飾情報の形状や配置に関する情報及び適用対象となる画像の特徴領域を考慮することで、装飾の対象となる画像を更に的確に抽出することができる。
【００１１】
また、好適には、前記対象画像抽出手段は、前記適用対象となる画像に対する前記装飾情報の相対位置と、前記特徴領域検出手段により検出された特徴領域の前記画像に対する相対位置とを比較し、前記装飾情報が該特徴領域に重ならない画像を抽出するものである。このようにすれば、適用対象となる画像の特徴領域に装飾情報が重なるのを抑制できる。
【００１２】
また、好適には、前記装飾情報の属性情報は、その装飾情報に関するキーワード情報を含むものであり、前記対象画像抽出手段は、前記装飾情報の属性情報としてのキーワード情報と、前記画像情報に対応付けられるキーワード情報とに基づいて前記抽出を実行するものである。このようにすれば、装飾の対象となる画像を簡便且つ実用的な態様で抽出することができる。
【００１３】
また、好適には、前記入力手段は、入力操作によって描画される軌跡情報を前記装飾情報として受け付けるものである。このようにすれば、手書きによる軌跡情報により画像を装飾する態様において、装飾の対象となる画像を簡便に抽出することができる。
【００１４】
また、好適には、前記抽出結果表示手段は、前記対象画像抽出手段により抽出された複数の画像情報に対応する画像を前記表示部に選択可能に表示させると共に、前記入力手段を介してそれら複数の画像情報の何れかが選択された場合には、その画像情報に対応する画像に前記装飾情報を適用して前記表示部に表示させるものである。このようにすれば、自動抽出された複数の画像から装飾の対象となる画像を利用者の所望に応じて選択可能とすることができる。
【００１５】
また、好適には、前記対象画像抽出手段により抽出された単数乃至複数の画像情報に対応する画像に前記装飾情報を適用して前記表示部に表示させるものである。このようにすれば、自動抽出された画像それぞれに装飾情報が適用された様子を簡便に確認可能とすることができる。
【００１６】
また、好適には、前記抽出結果表示手段は、前記対象画像抽出手段により複数の画像情報が抽出された場合には、各画像情報に対応する画像に前記装飾情報を適用して前記表示部に断続的に切替表示するものである。このようにすれば、自動抽出された複数の画像それぞれに装飾情報が適用された様子をスライドショーにより簡便に確認可能とすることができる。
【００１７】
また、前記第２発明によれば、利用者により先ず決定される装飾の対象となる画像を、予め定められた複数の画像から好適に抽出することができる。すなわち、装飾の対象となる画像を簡便に決定可能とする画像表示方法を提供することができる。
【００１８】
また、前記第３発明によれば、利用者により先ず決定される装飾の対象となる画像を、予め定められた複数の画像から好適に抽出することができる。すなわち、装飾の対象となる画像を簡便に決定可能とする画像表示プログラムを提供することができる。
【図面の簡単な説明】
【００１９】
【図１】本発明の一実施例である画像表示装置の外観の概要を示す図である。
【図２】図１の画像表示装置に備えられた構成を説明するブロック線図である。
【図３】図１の画像表示装置における制御部に備えられた制御機能の要部を説明する機能ブロック線図である。
【図４】図１の画像表示装置における制御部による装飾情報の選択入力及び直接入力について説明する図である。
【図５】図４のアートボード内に入力された装飾情報に関して、適用対象となる画像に対するそれら装飾情報の配置について説明する図である。
【図６】図１の画像表示装置における記憶部に記憶された画像情報に対応する画像の一例である。
【図７】図１の画像表示装置における記憶部に記憶された画像情報に対応する画像の他の一例を例示する図である。
【図８】図１の画像表示装置における記憶部に記憶された画像情報に対応する画像の更に別の一例を例示する図である。
【図９】図１の画像表示装置における記憶部に記憶された装飾情報の属性情報としての形状に関する情報について説明する図である。
【図１０】図５に示す装飾情報を図６に示す画像に適用した状態を示している。
【図１１】図５に示す装飾情報を図８に示す画像に適用した状態を示している。
【図１２】図５に示す装飾情報の配置を変更して図６に示す画像に適用した状態を示している。
【図１３】図５に示す装飾情報を図８に示す画像に適用することにより表示装置に表示される画像を示す図である。
【図１４】図１に示す画像表示装置の制御部により抽出された複数の画像情報に対応する画像のサムネイルを含む適用対象選択画面を例示する図である。
【図１５】図１の画像表示装置の制御部によるメイン制御の要部を説明するフローチャートである。
【図１６】図１５に示すメイン制御における文字を検索キーワードに変換する制御の要部を説明するフローチャートである。
【図１７】図１５に示すメイン制御における画像抽出制御の要部を説明するフローチャートである。
【図１８】図１５に示すメイン制御における表示／合成画像作成制御の要部を説明するフローチャートである。
【発明を実施するための形態】
【００２０】
以下、本発明の好適な実施例を図面に基づいて詳細に説明する。
【実施例】
【００２１】
図１は、本発明の一実施例である画像表示装置１０の外観の概要を示す図である。また、図２は、斯かる画像表示装置１０に備えられた構成を説明するブロック線図である。これらの図に示すように、本実施例の画像表示装置１０は、所定の画像（映像）を表示させると共に、利用者の接触操作に応じて入力を行うためのタッチパネルディスプレイ１２を備えている。また、図２に示すように、画像表示装置１０による画像表示制御をはじめとする各種制御を実行する制御部１４と、複数の画像情報（画像ファイル）等、各種情報を記憶する記憶部１６と、画像表示装置１０とプリンタ３８等の外部機器との間で情報の送受信を行う通信インターフェイス１８とを、備えて構成されている。
【００２２】
図２に示すように、タッチパネルディスプレイ１２は、そのタッチパネルディスプレイ１２に所定の映像を表示させる表示部（ディスプレイ）としての表示装置２２と、利用者の指や備え付けのペン２０等によるタッチパネルディスプレイ１２への接触により入力を行うタッチパネル２４とを、備えて構成されている。また、画像表示装置１０には、表示装置２２による画像（映像）の表示制御を行う表示制御部２６と、タッチパネル２４により入力される入力情報を処理する入力制御部２８とが備えられており、それら表示制御部２６及び入力制御部２８により表示装置２２及びタッチパネル２４を介してタッチパネルディスプレイ１２による画像表示制御乃至情報入力制御が実行される。
【００２３】
また、図２に示すように、制御部１４は、中央演算処理装置であるＣＰＵ３０と、読出専用メモリであるＲＯＭ３２と、随時書込読出メモリであるＲＡＭ３４とを、備えて構成されている。すなわち、制御部１４は、ＲＡＭ３４の一時記憶機能を利用しつつＲＯＭ３２に記憶された情報に基づいてＣＰＵ３０により種々の情報処理を実行する所謂マイクロコンピュータであり、表示制御部２６を介してタッチパネルディスプレイ１２（表示装置２２）に所定の画像を表示させる画像表示制御、そのタッチパネルディスプレイ１２（タッチパネル２４）への接触操作に応じて入力制御部２８を介して入力される入力信号を処理する入力処理制御、及び通信インターフェイス１８を介して他の機器との間で情報の送受信を行う情報通信制御等、本実施例の画像表示装置１０に関する各種制御を実行する。
【００２４】
記憶部１６は、ハードディスクやフラッシュメモリ等の記憶装置であり、画像情報データベース４０及び装飾情報データベース４２（図３を参照）を備えている。この画像情報データベース４０には、表示制御部２６を介してタッチパネルディスプレイ１２（表示装置２２）に所定の画像を表示させるための画像情報として、例えばＪＰＥＧ（Joint Photographic Experts Group）、ＰＮＧ（Portable Network Graphics）、ＧＩＦ（Graphics Interchange Format）等のファイル形式の複数の画像データ（画像ファイル）が、それぞれの識別情報をインデックスとして記憶されている。また、好適には、画像情報データベース４０に記憶された画像情報毎に、検索用のタグである単数乃至複数のキーワード情報、撮影日時等の日付情報、及び撮影場所等の地名情報をはじめとする各種付加情報が対応付けられて記憶されるようになっている。なお、表示装置２２は、静止画像のみならず動画を表示させるものであってもよく、画像情報データベース４０に記憶される画像情報は、静止画若しくは動画の何れであってもよい。
【００２５】
また、装飾情報データベース４２には、画像情報データベース４０に記憶された画像情報に対応する画像を装飾するための複数の装飾情報（装飾データ）が、それぞれの識別情報をインデックスとして記憶されている。この装飾情報は、ＪＰＥＧ、ＰＮＧ、ＧＩＦ等のファイル形式のテンプレート画像情報（画像ファイル）、或いはタッチパネル２４による入力操作によって描画される軌跡情報（描画データ）等であり、詳しくは図４等の説明において後述する。また、装飾情報データベース４２に記憶された装飾情報毎に、単数乃至複数のキーワード情報、装飾情報の形状に関する情報、及び適用対象となる画像に対するその装飾情報の配置に関する情報等が、各装飾情報に対応する属性情報として記憶されるようになっている。ここで、キーワード情報としては、季節を表す単語、時間を表す単語、地名を表す単語、日付を表す単語、及び利用者により設定された単語等が好適に記憶される。また、装飾情報の形状に関する情報とは、後述する図９を用いて示すように、テンプレート画像や手書き文字等の外形に相当する情報である。また、適用対象となる画像に対するその装飾情報の配置に関する情報とは、後述する図５を用いて示すように、適用対象となる画像に対するテンプレート画像や手書き文字等の相対位置に相当する情報である。
【００２６】
通信インターフェイス１８は、例えば画像表示装置１０を無線により或いは有線接続にてＬＡＮ３６に接続するＬＡＮインターフェイスである。画像表示装置１０は、この通信インターフェイス１８によりＬＡＮ３６に接続されることで、そのＬＡＮ３６を介して例えばプリンタ３８等の外部機器との間で情報の通信が可能とされる。このプリンタ３８は、例えば、画像表示装置１０等から出力される印刷対象となる画像を所定の用紙（例えば、写真用印画紙）に印刷するよく知られたインクジェットプリンタやレーザプリンタ等の印刷装置である。なお、ＬＡＮ３６が図示しないルータ等を介して公衆電話回線、ＡＤＳＬ回線、或いは光ファイバ回線等から構成されるＷＷＷ（World Wide Web）すなわちインターネットに接続可能とされ、画像表示装置１０とインターネットに接続された他の機器との間での通信が可能とされたものであってもよい。また、プリンタ３８による印刷やインターネットへの接続を特に必要としない態様においては、通信インターフェイス１８及びＬＡＮ３６等の構成は必ずしも設けられなくともよい。
【００２７】
図３は、制御部１４に備えられた制御機能の要部を説明する機能ブロック線図である。この図３に示す入力手段５０は、タッチパネル２４による操作に応じて、適用対象となる画像を装飾する装飾情報の入力を受け付ける。例えば、タッチパネル２４に対する接触操作に応じて、装飾情報データベース４２に記憶された複数の装飾情報の何れかを選択する選択入力を受け付ける。また、そのようにして選択された装飾情報に関して、タッチパネル２４に対する接触操作に応じて適用対象となる画像に対する当該装飾情報の配置（相対位置）に関する情報を受け付ける（図５を参照）。すなわち、入力手段５０は、換言すれば、適用対象となる画像を装飾する装飾情報の選択入力を受け付ける選択入力受付手段である。
【００２８】
ここで、タッチパネル２４においては、その平面部（タッチパネルディスプレイ１２の表面）に対する接触操作に応じて描画される軌跡情報の入力が可能とされている。すなわち、タッチパネル２４の平面部に対してペン２０等を接触させた状態でその接触部位を移動させることにより、自由曲線や直線等を組み合わせた所謂手書き入力（フリードロー）が可能とされている。入力手段５０は、タッチパネル２４により入力制御部２８を介して入力される手書き入力に対応する軌跡情報を装飾情報として受け付け、装飾情報データベース４２に記憶する。また、そのようにして入力された装飾情報に関して、タッチパネル２４に対する接触操作に応じて適用対象となる画像に対する当該装飾情報の配置（相対位置）に関する情報を受け付ける（図５を参照）。また、軌跡情報が定まることにより同時に定まるその形状に関する情報を、装飾情報としての軌跡情報に対応付けて装飾情報データベース４２に記憶する。すなわち、入力手段５０は、換言すれば、適用対象となる画像を装飾する装飾情報の直接入力を受け付ける直接入力受付手段である。
【００２９】
図４は、入力手段５０による装飾情報の選択入力及び直接入力について説明する図であり、タッチパネルディスプレイ１２（表示装置２２）に複数の装飾情報が表示された画面を例示している。この図４に示す例では、入力に係る装飾情報を定める領域に対応するアートボード５８を太線で囲繞して示しており、このアートボード５８内に入力された装飾情報が入力手段５０により受け付けられる。また、表示装置２２の画面内におけるアートボード５８以外の領域には、複数（図４では４つ）のテンプレート画像６０ａ、６０ｂ、６０ｃ、６０ｄ（以下、特に区別しない場合には単にテンプレート画像６０という）が候補として選択入力可能に表示されている。
【００３０】
複数のテンプレート画像６０は、タッチパネル２４による所定の操作に応じてアートボード５８内に移動乃至配置可能とされている。例えば、左端のテンプレート画像６０ａをもって例示するように、そのテンプレート画像６０ａに相当する位置にペン２０等が接触させられた後、接触状態が維持された状態でその接触部位がアートボード５８内へ移動させられ（所謂ドラッグ操作）、そのアートボード５８内の所定位置においてペン２０等の接触が解除される（所謂ドロップ操作）ことにより、その接触が解除された位置にテンプレート画像６０ａが移動（配置）させられる。更に、タッチパネル２４等による操作に応じて回転（デフォルトの状態に対する角度の変更）や、拡大乃至縮小が可能とされたものであってもよい。また、斯かる場合には、各テンプレート画像に関して最大拡大率（最大サイズ）及び最小縮小率（最小サイズ）が予め設定されていることが好ましい。また、アートボード５８内においては、タッチパネル２４に対するペン２０等の接触乃至その接触部位の移動により手書き入力（フリードロー）が可能とされており、図４では、そのようにして手書き入力された軌跡情報に対応する手書き文字６２を例示している。なお、この手書き文字６２は、「山に行ったよ」という文章（漢字及び仮名文字から成る一連の文字列）を綴ったものである。
【００３１】
図５は、図４のアートボード５８内に入力された装飾情報に関して、適用対象となる画像に対するそれら装飾情報の配置について説明する図である。タッチパネルディスプレイ１２（表示装置２２）に表示されたアートボード５８は、好適には、装飾情報の適用対象となる画像の全体に対応するものであり、図４において太線で示したアートボード５８の外枠が、装飾情報の適用対象となる画像の輪郭（外郭）に対応する。図５では、この適用対象となる画像の輪郭６４を破線で示している。本実施例においては、図４に示すアートボード５８内にテンプレート画像６０及び手書き文字６２等の装飾情報を入力（配置）することで、そのアートボード５８の外枠すなわち適用対象となる画像の輪郭６４に対する各装飾情報の相対位置が定まる。換言すれば、適用対象となる画像に対する各装飾情報の配置に関する情報が定まり、斯かる情報が入力された装飾情報と共に相互に関連付けられて装飾情報データベース４２に記憶される。なお、この配置に関する情報は、各装飾情報自身の角度（デフォルトの角度に対する傾斜角）や、拡大乃至縮小率等の情報を含むものであってもよい。
【００３２】
また、入力手段５０は、アートボード５８内に入力された軌跡情報に関して、よく知られた手書き文字認識技術によりその軌跡情報を文字乃至文字列として認識する。例えば、対象となる軌跡情報における各文字に相当する部分を、それぞれ予め定められた判定用のデータと比較することにより各部分を文字として認識し、延いては軌跡情報全体を一連の文字列として認識する。認識された文字乃至文字列は、対象となる軌跡情報の属性情報であるキーワード情報として、軌跡情報と対応付けられて装飾情報データベース４２に記憶される。例えば、図４に示す手書き文字６２に関して「山」という文字が認識された場合、「山」という文字が当該手書き文字６２に相当する軌跡情報のキーワード情報として対応付けられ、装飾情報データベース４２にその手書き文字６２に相当する軌跡情報の属性情報として記憶される。
【００３３】
図３に示す特徴領域検出手段５２は、画像情報データベース４０に記憶された画像情報に対応する画像に関して、各画像における予め定められた特徴領域を検出する。図６は、画像情報データベース４０に記憶された画像情報に対応する画像の一例として、山を背景に人物の像６６ｐを撮影した写真に相当する画像６６を例示する図である。なお、本実施例においては、説明を分かり易くするため各写真における人物の像を白抜き（白ベタ塗り）で示しており、以下の説明において同じである。特徴領域検出手段５２は、各画像における予め定められた特徴領域として、例えば人物の像に対応する領域を検出する。すなわち、図６に示す画像６６に関して、画像６６に含まれる人物の像６６ｐに対応する領域を検出する。領域の検出は、例えば画像全体における明度、彩度、コントラスト等の分布に基づき、基準データとの近似を判定するよく知られたエッジ検出技術により行われ、検出対象となる画像６６全体（輪郭）に対する人物の像６６ｐの配置に関する情報すなわち相対位置情報が検出される。また、よく知られた顔認識技術により、画像６６における人物の顔に相当する部分を特徴領域として検出するものであってもよい。
【００３４】
また、特徴領域検出手段５２は、好適には、複数の特徴領域を検出し得る画像に関して、それら複数の特徴領域のうち何れか主要な（メイン）特徴領域のみを検出するものであってもよい。例えば、画像に複数の人物の像が含まれる場合において、それらのうち何れかの人物の像に相当する部分を主要な特徴領域として検出するものであってもよい。ここで、斯かる主要な特徴領域としては、画像の中央部に存在するものや、画像全体に占める面積割合が最も大きいもの等が好適に選択される。また、画像表示装置１０の利用者の像に対応する基準画像を予め登録しておき、その基準画像との類似判定により斯かる検出を行うものであってもよい。なお、特徴領域検出手段５２による検出制御のタイミングとしては、後述する対象画像検出手段５４による抽出制御に際して実行されるものであってもよいし、事前に画像情報データベース４０に記憶された各画像情報に関して検出を実行しておき、その検出結果をその画像情報データベース４０に各画像情報に対応付けて記憶しておいてもよい。また、特徴領域検出手段５２により検出される特徴領域は人物の像に限られず、例えばサッカーの試合を写した写真におけるサッカーボールの像、夕焼け空を背景にビルが林立する風景を写した写真におけるビルの像、撮影された風景に含まれる看板の像等、検出対象となる画像内において明度、彩度、コントラスト等に基づいて検出し得る種々の像が考えられる。
【００３５】
図３に示す対象画像抽出手段５４は、入力手段５０により入力された装飾情報の属性情報に基づいて、画像情報データベース４０に記憶された複数の画像情報からその装飾情報の適用対象となる画像に対応する画像情報を抽出する。好適には、装飾情報の属性情報としてのキーワード情報と、画像情報に対応付けられたキーワード情報とに基づいて抽出を実行する。例えば、手書き文字６２に対応する装飾情報のキーワード情報「山」に基づいて、画像情報データベース４０に記憶された複数の画像情報からそのキーワード情報「山」を付加情報とする画像情報を抽出する。前述した図６に示す画像６６、図７に示す画像６８、図８に示す画像７０は、何れもキーワード情報「山」を付加情報として画像情報データベース４０に記憶された画像情報に対応するものであり、手書き文字６２に対応する装飾情報のキーワード情報「山」に基づいて抽出される。また、日付や地名に相当するキーワード情報が存在する場合には、そのキーワード情報を優先的に用いて検索を実行する。
【００３６】
また、対象画像抽出手段５４は、好適には、予め定められたキーワード情報の対応関係に基づいて抽出を行う。この対応関係は、例えば「山」に関連するキーワード情報として「やま」、「ヤマ」、「マウンテン」、「mountain」、「富岳」等の文字乃至文字列を相互に対応付けて記憶するものであり、相互に類似する或いは相関を有するキーワード情報がグループ化されて記憶されたものである。画像６６に対応する画像情報の付属情報が「富岳」等のキーワード情報である場合においても、対応関係を参照することにより、手書き文字６２に対応する装飾情報のキーワード情報「山」に基づいて画像６６等を抽出することができる。
【００３７】
また、対象画像抽出手段５４によるキーワード情報に基づく抽出は、好適には、予め検索用に登録された複数の検索用画像情報を介して行われるものであってもよい。この検索用画像情報は、例えば山の風景を撮影した画像、海の風景を撮影した画像、ビル街の風景を撮影した画像、複数の人物が肩を組んだ様子を撮影した画像等、特徴的且つ被写体として選択され易い画像に対応して予め用意されたものであり、検索用のタグとして各画像の特徴を表すキーワード情報が対応付けられている。対象画像抽出手段５４は、例えば、装飾情報の属性情報としてのキーワード情報を検索用のタグとして含む検索用画像情報に類似する画像情報を、画像情報データベース４０に記憶された複数の画像情報から抽出する。斯かる処理によれば、付加情報としてのキーワード情報に対応付けられていない画像情報を抽出の対象とすることができる。また、画像情報データベース４０に記憶された複数の画像情報に関して、検索用画像情報との類似判定を予め行っておき、類似すると判定された検索用画像情報のタグ情報におけるキーワード情報を、各画像情報の付加情報として画像情報データベース４０に記憶しておく態様も考えられる。
【００３８】
また、対象画像抽出手段５４は、好適には、複数の装飾情報のキーワード情報に基づいて抽出を行う場合において、文字認識によりキーワード情報が定められた軌跡情報が存在する場合には、その文字認識による結果として得られたキーワード情報に基づいて抽出を行う。例えば、図４に示す例においては、手書き文字６２に対応する軌跡情報に加えて、テントウムシの絵に相当するテンプレート画像６０ａに対応するテンプレート画像情報が装飾情報として入力されている。このテンプレート画像６０ａに対応するテンプレート画像情報の属性情報として「自然」等のキーワード情報が記憶されている場合、そのキーワード情報を加味することによっても画像情報の抽出が可能である。すなわち、手書き文字６２に対応する装飾情報のキーワード情報「山」と、テンプレート画像６０ａに対応する装飾情報のキーワード情報「自然」とを検索キーワードとしてＡＮＤ検索（それらを両方とも含む対象を検索）又はＯＲ検索（それらの何れかを含む対象を検索）等を行うものであってもよいが、手書き入力による文字は利用者により直接的に入力されるものであり、適用対象となる画像の特徴を強く反映した文字乃至文字列が綴られることが多いと考えられるため、斯かる手書き入力の文字認識による結果として得られたキーワード情報を優先的に用いて抽出を行うことで、利用者の希望に合った画像を好適に抽出することができる。
【００３９】
また、対象画像抽出手段５４は、好適には、装飾情報の属性情報としての形状に関する情報及び配置に関する情報のうち少なくとも一方と、特徴領域検出手段５２により検出された画像における特徴領域の、その画像に対する相対的な位置に関する情報とに基づいて抽出を実行する。図９は、装飾情報の属性情報としての形状に関する情報について説明する図であり、手書き文字６２及びテンプレート画像６０ａそれぞれの形状を破線で示している。この図９に示すように、各装飾情報の形状に関する情報とは、例えば透過ＧＩＦ等における透明部分を含む装飾情報全体の輪郭に対応するものであり、前述のように各装飾情報の属性情報として装飾情報データベース４２に記憶されている。また、手書き文字６２等の軌跡情報に関しては、その入力時に自動的に形状が判定されてその属性情報とされる。対象画像抽出手段５４は、例えば、装飾情報の属性情報としての形状に関する情報及び配置に関する情報と、特徴領域検出手段５２により検出された画像における特徴領域の、その画像に対する相対的な位置に関する情報とに基づいて、装飾情報に対応する画像が斯かる特徴領域に重ならないように（或いは重なる部分の面積が予め定められた所定値以下となるように）抽出を実行する。
【００４０】
図１０は、図５に示す装飾情報を図６に示す画像６６に適用した状態を、図１１は、図５に示す装飾情報を図８に示す画像７０に適用した状態をそれぞれ示している。装飾情報に関してその形状及び適用対象となる画像に対する配置（相対位置）が定まっており、適用対象となる画像において特徴領域が検出されている場合には、適用によりその装飾情報が特徴領域に重なるか否かを判定できる。図１０に示す例では、画像６６に適用された場合にテンプレート画像６０ａがその画像６６の特徴領域である人物の像６６ｐに重なるため、対象画像抽出手段５４は、この画像６６を図５に示す装飾情報に係る抽出対象から除外する。一方、図１１に示す例では、画像７０に適用された場合に装飾情報がその画像７０の特徴領域である人物の像７０ｐに重なることがないため、対象画像抽出手段５４は、この画像７０を図５に示す装飾情報に係る抽出対象とする。斯かる制御により、適用対象である画像に対する配置が予め定められた装飾情報に適合する画像を、画像情報データベース４０から好適に抽出することができる。なお、キーワード情報に基づく抽出と、形状に関する情報及び配置に関する情報に基づく抽出とはどちらを先に行ってもよい。また、配置に関する情報が定められていない場合にのみキーワード情報に基づく抽出を先に行ってもよいし、配置に関する情報が定められている場合にのみキーワード情報に基づく抽出を先に行うものであってもよい。
【００４１】
また、対象画像抽出手段５４は、装飾情報の属性情報として適用対象の画像に対する配置に関する情報が定められていない場合には、その形状に関する情報と、特徴領域検出手段５２により検出された画像における特徴領域の、その画像に対する相対的な位置に関する情報とに基づいて抽出を実行する。例えば、図１０に示す例では、装飾情報が画像６６に適用された場合にテンプレート画像６０ａがその画像６６の特徴領域である人物の像６６ｐに重なるものであったが、その装飾情報に関して適用対象の画像に対する配置が特に定められていない場合には、図１２に示すように各装飾情報の配置を変更することで特徴領域である人物の像６６ｐに重ならないものとすることができる。このように、対象画像抽出手段５４は、好適には、装飾情報の属性情報として適用対象の画像に対する配置に関する情報が定められていない場合には、その形状に関する情報に基づいて、所定の相対位置関係とした場合に特徴領域検出手段５２により検出される特徴領域に重ならない配置をとり得る画像を画像情報データベース４０から抽出する。なお、利用者により配置が決定されない場合には、テンプレート画像６０は選択されるだけで足り、手書き文字６２は配置にかかわらずアートボードに描写される。そして、配置する場所の例として、テンプレート画像６０ａは、各テンプレート画像ごとに予め定められたサイズ、角度に一番近くできるように配置され、手書き文字も予め定められた大きさに一番近くできるように配置される。
【００４２】
図３に示す抽出結果表示手段５６は、対象画像抽出手段５４による抽出結果を表示装置２２に表示させる。好適には、対象画像抽出手段５４により抽出された単数乃至複数の画像情報に対応する画像に装飾情報を適用して表示装置２２に表示させる。図１３は、図５に示す装飾情報を図８に示す画像７０に適用することにより表示装置２２に表示される画像７２を示している。ここで、適用対象となる画像に装飾情報を適用する態様としては、その画像の前面側に装飾情報を合成して新しく画像７２に対応する１枚の画像データ（画像ファイル）を作成する態様と、適用対象となる画像の前面側に装飾情報を合成することなく重ね合わせ、それぞれ別個の画像データ（画像ファイル）のまま画像７２として表示させる態様とが考えられる。
【００４３】
また、抽出結果表示手段５６は、好適には、対象画像抽出手段５４により抽出された複数の画像情報に対応する画像を表示装置２２に選択可能に表示させると共に、タッチパネル２４を介してそれら複数の画像情報の何れかが選択された場合には、その画像情報に対応する画像に装飾情報を適用して表示装置２２に表示させる。例えば、図１４に示すように、対象画像抽出手段５４により抽出された複数の画像情報に対応する画像６６、６８、７０のサムネイルを含む適用対象選択画面７４を表示装置２２に表示させる。また、装飾情報の適用前の画像ではなく適用後の画像のサムネイルを選択可能に表示させるものであってもよい。そして、斯かる適用対象選択画面７４に表示された何れかのサムネイルに相当する部分に対する接触がタッチパネル２４により入力された場合には、そのサムネイルに対応する画像に装飾情報を適用して表示装置２２に表示させる。
【００４４】
また、抽出結果表示手段５６は、好適には、対象画像抽出手段５４により複数の画像情報が抽出された場合には、各画像情報に対応する画像に装飾情報を適用して表示装置２２に断続的に切替表示する。すなわち、対象画像抽出手段５４により抽出された複数の画像情報それぞれに対応する画像に、装飾情報を適用した複数の画像（図１３に示すように装飾情報適用後の画像）を、予め定められた時間間隔で表示装置２２に断続的に切替表示するスライドショー表示制御を実行する。また、斯かるスライドショー表示制御において切替表示される複数の画像のうち、何れかの画像がタッチパネル２４等による操作に応じて選択された場合には、その画像を装飾情報の適用対象として選択するといった態様も考えられる。
【００４５】
図１５は、画像表示装置１０の制御部１４によるメイン制御の要部を説明するフローチャートであり、所定の周期で繰り返し実行されるものである。
【００４６】
先ず、ステップ（以下、ステップを省略する）Ｓ１において、タッチパネル２４を介して装飾情報の入力操作が検出されたか否かが判断される。このＳ１の判断が否定される場合には、Ｓ７以下の処理が実行されるが、Ｓ１の判断が肯定される場合には、Ｓ２において、タッチパネル２４を介して手書きによる装飾情報（軌跡情報）の入力が検出されたか否かが判断される。このＳ２の判断が肯定される場合には、ＳＡにおいて、図１６に示す文字を検索キーワードに変換する制御が実行された後、Ｓ４以下の処理が実行されるが、Ｓ２の判断が否定される場合には、Ｓ３において、タッチパネル２４による入力に応じて装飾情報データベース４２に記憶された複数の装飾情報のうち何れかの装飾情報が選択入力される。次に、Ｓ４において、タッチパネル２４による入力に基づいて、適用対象となる画像に対する装飾情報の配置を決定することを利用者が選択したか否かが判断される。このＳ４の判断が否定される場合には、Ｓ６以下の処理が実行されるが、Ｓ４の判断が肯定される場合には、Ｓ５において、タッチパネル２４による入力に基づいて決定された、適用対象となる画像に対する装飾情報の配置に関する情報がその装飾情報に対応付けられて装飾情報データベース４２に記憶される。次に、Ｓ６において、タッチパネル２４を介して装飾情報の入力終了操作が検出されたか否かが判断される。このＳ６の判断が否定される場合には、Ｓ１以下の処理が再び実行されるが、Ｓ６の判断が肯定される場合には、ＳＢにおいて、図１７に示す画像抽出制御が実行される。次に、ＳＣにおいて、図１８に示す表示／合成画像作成制御が実行される。次に、Ｓ７において、制御終了（アプリケーションの終了）であるか否かが判断される。このＳ７の判断が否定される場合には、Ｓ１以下の処理が再び実行されるが、Ｓ７の判断が肯定される場合には、それをもって本ルーチンが終了させられる。
【００４７】
図１６は、図１５に示すメイン制御における文字を検索キーワードに変換する制御（文字を検索キーワードに変換するサブルーチン）の要部を説明するフローチャートである。先ず、ＳＡ１において、タッチパネル２４により入力された軌跡情報に関して、よく知られた手書き文字認識技術によりその軌跡情報が文字乃至文字列として認識される。次に、ＳＡ２において、ＳＡ１にて認識された単語すなわち文字乃至文字列が、検索用画像情報に対応付けられた検索用タグに存在するか否かが判断される。このＳＡ２の判断が否定される場合には、ＳＡ３において、ＳＡ１にて認識された単語が検索用キーワード情報とされた後、図１５に示すメインルーチンへ復帰させられるが、ＳＡ２の判断が肯定される場合には、ＳＡ４において、ＳＡ１にて認識された単語に当てはまる検索用タグすなわちその単語に類似するキーワード情報を含む検索用タグが検索される。
次に、ＳＡ５において、ＳＡ４における検索結果が検索用のキーワードとされた後、図１５に示すメインルーチンへ復帰させられる。
【００４８】
図１７は、図１５に示すメイン制御における画像抽出制御（画像抽出サブルーチン）の要部を説明するフローチャートである。先ず、ＳＢ１において、画像情報データベース４０に記憶された画像情報に対応する画像に関して、各画像における特徴領域としてのメインの被写体に対応する部分が検出される。次に、ＳＢ２において、主成分分析法などの公知の画像認識技術により画像に写っているものが何であるかが認識される。次に、ＳＢ３において、検索用のキーワードとして設定されたキーワード情報に基づいて、画像情報データベース４０に記憶された複数の画像情報からそのキーワード情報に適合する画像情報が抽出される。次に、ＳＢ４において、装飾情報の属性情報として適用対象の画像に対する配置に関する情報が定められているか否かが判断される。このＳＢ４の判断が肯定される場合には、ＳＢ５において、手書き文字６２やテンプレート画像６０等の装飾情報がＳＢ１にて検出されたメインの被写体に重ならないように配置できる画像が抽出された後、図１５に示すメインルーチンへ復帰させられるが、ＳＢ４の判断が否定される場合には、ＳＢ６において、手書き文字６２やテンプレート画像６０等の装飾情報の配置等を調整することでＳＢ１にて検出されたメインの被写体に重ならないように配置できる画像が抽出される。次に、ＳＢ７において、適用対象となる画像に対する装飾情報の配置等が決定された後、図１５に示すメインルーチンへ復帰させられる。
【００４９】
図１８は、図１５に示すメイン制御における表示／合成画像作成制御（表示／合成画像作成サブルーチン）の要部を説明するフローチャートである。先ず、ＳＣ１において、抽出された画像情報に対応する画像に対して装飾情報が重ね合わされた適用後の画像が表示装置２２に選択可能に表示される。次に、ＳＣ２において、ＳＣ１にて表示装置２２に表示された画像のうちタッチパネル２４により選択された画像に関して、抽出された画像情報に対して装飾情報が合成されて新たに合成画像情報が作成される。次に、ＳＣ３において、ＳＣ２にて作成された合成画像情報に対応する画像が表示装置２２に表示された後、図１５に示すメインルーチンへ復帰させられる。
【００５０】
以上の制御において、Ｓ１〜Ｓ３が入力手段５０の動作乃至入力過程に、ＳＢ１及びＳＢ２が特徴領域検出手段５２の動作に、ＳＢが対象画像抽出手段５４の動作乃至対象画像抽出過程に、ＳＣが抽出結果表示手段５６の動作乃至抽出結果表示過程にそれぞれ対応する。
【００５１】
このように、本実施例によれば、適用対象となる画像を装飾する装飾情報の入力を受け付ける入力手段５０（Ｓ１〜Ｓ３）と、その入力手段５０により入力された装飾情報の属性情報に基づいて、記憶部１６に記憶された複数の画像情報からその装飾情報の適用対象となる画像に対応する画像情報を抽出する対象画像抽出手段５４（ＳＢ）と、その対象画像抽出手段５４による抽出結果を表示部としての表示装置２２に表示させる抽出結果表示手段５６（ＳＣ）とを、備えたものであることから、利用者により先ず決定される装飾情報の適用対象となる画像を、予め定められた複数の画像から好適に抽出することができる。すなわち、装飾の対象となる画像を簡便に決定可能とする画像表示装置１０を提供することができる。
【００５２】
また、装飾情報の属性情報は、その装飾情報の形状に関する情報及び適用対象となる画像に対するその装飾情報の配置に関する情報のうち少なくとも一方を含むものであり、画像における予め定められた特徴領域を検出する特徴領域検出手段５２（ＳＢ１及びＳＢ２）を備え、対象画像抽出手段５４は、装飾情報の属性情報としての形状に関する情報及び配置に関する情報のうち少なくとも一方と、特徴領域検出手段５２により検出された画像における特徴領域の、その画像に対する相対的な位置に関する情報とに基づいて抽出を実行するものであるため、装飾情報の形状や配置に関する情報及び適用対象となる画像の特徴領域を考慮することで、装飾の対象となる画像を更に好適に抽出することができる。
【００５３】
また、対象画像抽出手段５４は、適用対象となる画像に対する装飾情報の相対位置と、特徴領域検出手段５２により検出された特徴領域の画像に対する相対位置とを比較し、装飾情報が該特徴領域に重ならない画像を抽出するものであるため、適用対象となる画像の特徴領域に装飾情報が重なるのを抑制できる。
【００５４】
また、装飾情報の属性情報は、その装飾情報に関するキーワード情報を含むものであり、対象画像抽出手段は、装飾情報の属性情報としてのキーワード情報と、画像情報に対応付けられるキーワード情報とに基づいて抽出を実行するものであるため、装飾の対象となる画像を簡便且つ実用的な態様で抽出することができる。
【００５５】
また、入力手段５０は、タッチパネル２４による手書き入力操作によって描画される軌跡情報を装飾情報として受け付けるものであるため、手書きによる軌跡情報により画像を装飾する態様において、その適用対象となる画像を簡便に抽出することができる。
【００５６】
また、抽出結果表示手段５６は、対象画像抽出手段５４により抽出された複数の画像情報に対応する画像を表示装置２２に選択可能に表示させると共に、入力手段５０を介してそれら複数の画像情報の何れかが選択された場合には、その画像情報に対応する画像に装飾情報を適用して表示装置２２に表示させるものであるため、自動抽出された複数の画像から装飾の対象となる画像を利用者の所望に応じて選択可能とすることができる。
【００５７】
また、対象画像抽出手段５４により抽出された単数乃至複数の画像情報に対応する画像に装飾情報を適用して表示装置２２に表示させるものであるため、自動抽出された画像それぞれに装飾情報が適用された様子を簡便に確認可能とすることができる。
【００５８】
また、抽出結果表示手段５６は、対象画像抽出手段５４により複数の画像情報が抽出された場合には、各画像情報に対応する画像に装飾情報を適用して表示装置２２に断続的に切替表示するものであるため、自動抽出された複数の画像それぞれに装飾情報が適用された様子をスライドショーにより簡便に確認可能とすることができる。
【００５９】
また、本実施例によれば、適用対象となる画像を装飾する装飾情報の入力を受け付ける入力過程（Ｓ１〜Ｓ３）と、その入力過程において入力された装飾情報の属性情報に基づいて、記憶部１６に記憶された複数の画像情報からその装飾情報の適用対象となる画像に対応する画像情報を抽出する対象画像抽出過程（ＳＢ）と、その対象画像抽出過程における抽出結果を表示装置２２に表示させる抽出結果表示過程（ＳＣ）とを、含むことから、利用者により先ず決定される装飾情報の適用対象となる画像を、予め定められた複数の画像から好適に抽出することができる。すなわち、装飾の対象となる画像を簡便に決定可能とする画像表示方法を提供することができる。
【００６０】
また、本実施例によれば、画像表示装置１０における制御部１４を、適用対象となる画像を装飾する装飾情報の入力を受け付ける入力手段５０、その入力手段５０により入力された装飾情報の属性情報に基づいて、記憶部１６に記憶された複数の画像情報からその装飾情報の適用対象となる画像に対応する画像情報を抽出する対象画像抽出手段５４、及びその対象画像抽出手段５４による抽出結果を表示装置２２に表示させる抽出結果表示手段５６として機能させる画像表示プログラムであることから、利用者により先ず決定される装飾の対象となる画像を、予め定められた複数の画像から好適に抽出することができる。すなわち、装飾の対象となる画像を簡便に決定可能とする画像表示プログラムを提供することができる。
【００６１】
以上、本発明の好適な実施例を図面に基づいて詳細に説明したが、本発明はこれに限定されるものではなく、更に別の態様においても実施される。
【００６２】
例えば、前述の実施例において、入力手段５０、特徴領域検出手段５２、対象画像抽出手段５４、及び抽出結果表示手段５６は、何れも制御部１４に機能的に備えられたものであったが、その一部乃至全部が同等の機能を奏する個別の制御部として制御部１４とは別体に備えられたものであってもよい。また、画像表示装置１０においては、タッチパネルディスプレイ１２の表示制御乃至入力情報処理を行う表示制御部２６及び入力制御部２８が制御部１４とは別体の制御部として備えられたものであったが、これらはその一方乃至両方が制御部１４に機能的に備えられたものであってもよい。
【００６３】
また、前述の実施例では、画像表示機能を有すると共に接触による入力装置として機能するタッチパネルディスプレイ１２を備えた画像表示装置１０に本発明が適用された例を説明したが、本発明の画像表示装置は必ずしもタッチパネルディスプレイを備えたものでなくともよく、画像を表示し得るディスプレイを備えた画像表示装置に広く適用されるものである。
【００６４】
また、前述の実施例において、入力手段５０は、タッチパネル２４による手書き入力操作によって描画される軌跡情報を装飾情報として受け付けるものであったが、例えば、入力装置としてマウスを備えた画像表示装置において、そのマウスによる手書き入力操作によって描画される軌跡情報を装飾情報として受け付けるものであってもよい。
【００６５】
また、前述の実施例において、対象画像抽出手段５４は、記憶部１６に設けられた画像情報データベース４０に記憶された複数の画像情報を対象として抽出を実行するものであったが、対象画像抽出手段５４による抽出（検索）対象としては、ＵＳＢ等のインターフェイスを介して接続される外部メモリや、ＬＡＮ３６乃至インターネット等を介して接続されるサーバ装置の記憶装置に記憶された画像情報等も考えられる。
【００６６】
また、前述の実施例において、抽出結果表示手段５６は、対象画像抽出手段５４により抽出された複数の画像情報から選択される単一の画像情報に対して装飾情報を適用した画像を表示装置２２に表示させるものであったが、対象画像抽出手段５４により抽出された複数の画像情報を合成し、その合成後の画像に装飾情報を適用した画像を表示装置２２に表示させるものであってもよい。
【００６７】
また、前述の実施例では、特に言及していないが、対象画像抽出手段５４は、画像表示装置１０の利用主体である複数の利用者それぞれに対応して個別に抽出を実行するものであってもよい。また、斯かる利用者毎の個別抽出に関連して、各利用者の顔写真を特徴領域検出のみならず画像抽出の要因の１つとしてもよい。また、斯かる複数の利用者毎に利用可能な装飾情報を設定したり、画像抽出用（検索用）のキーワード情報に関しても各利用者毎に設定し得るようにしてもよい。更に、各利用者の顔写真を、特徴領域検出手段５２による特徴領域の検出の基準とする画像情報として記憶できるようにしてもよい。
【００６８】
その他、一々例示はしないが、本発明はその趣旨を逸脱しない範囲内において種々の変更が加えられて実施されるものである。
【符号の説明】
【００６９】
１０：画像表示装置、１４：制御部（制御装置）、１６：記憶部、２２：表示装置（表示部）、５０：入力手段、５２：特徴領域検出手段、５４：対象画像抽出手段、５６：抽出結果表示手段、６０：テンプレート画像（装飾情報）、６２：手書き文字（軌跡情報、装飾情報）、６６、６８、７０：画像、６６ｐ、６８ｐ、７０ｐ：人物の像（特徴領域）
【図１】
2011180305.tif 000003
【図２】
2011180305.tif 000004
【図３】
2011180305.tif 000005
【図１５】
2011180305.tif 000006
【図１６】
2011180305.tif 000007
【図１７】
2011180305.tif 000008
【図１８】
2011180305.tif 000009
【図４】
2011180305.tif 000010
【図５】
2011180305.tif 000011
【図６】
2011180305.tif 000012
【図７】
2011180305.tif 000013
【図８】
2011180305.tif 000014
【図９】
2011180305.tif 000015
【図１０】
2011180305.tif 000016
【図１１】
2011180305.tif 000017
【図１２】
2011180305.tif 000018
【図１３】
2011180305.tif 000019
【図１４】
2011180305.tif 000020